(57)【要約】      （修正有）【課題】外形形状の異なるサイズのメモリカードを収納できるメモリカード用収納ボックスを提供する。【解決手段】下ケース１０、上ケース２０及び前記下ケース１０内に配設される複数の弾性部材３１を有する離間プレート３０からなり、前記下ケース１０の中央には、内側に夫々係止溝１２と係合溝１３が形成された収納部１１が形成され、前記収納部１１には上部の前，後面に前記係合溝１３と係合する係止ブロック２２を有する離間プレート３０が配設され、該離間プレート３０の下部の前，後面には外方斜め下向きに伸びてメモリカードを収納位置決めする複数の弾性部材３１が設けられており、前記上ケース２０は、下ケース１０を覆い、内部に凹部２１が形成され、外側に前記係止溝１２と係止する係止ブロック２２が設けられていることを特徴とする。【選択図】図２
0003110123.tif 000002
【実用新案登録請求の範囲】
【請求項１】
下ケース、上ケース、及び前記下ケース内に配設される複数の弾性部材を有する離間プレートからなり、前記下ケースの中央には、内側に夫々係止溝と係合溝が形成された収納部が形成され、前記収納部には上部の前，後面に前記係合溝と係合する係合ブロックを有する離間プレートが配設され、該離間プレートの下部の前，後面には外方斜め下向きに伸びてメモリカードを収納位置決めする複数の弾性部材が設けられており、前記上ケースは、下ケースを覆い、内部に凹部が形成され、外側に前記係止溝と係止する係止ブロックが設けられていることを特徴とするメモリカード用収納ボックス。
【請求項２】
互いに枢設される下ケースと上ケースを有し、下ケースの一側の上部にプレートが設けられ、該プレートの内側に斜め下に向って伸びる複数の弾性部材が設けられることを特徴とするメモリカード用収納ボックス。
【請求項３】
前記該弾性部材はゴム又は柔軟性を有するプラスチックからなることを特徴とする請求項１又は２に記載のメモリカード用収納ボックス。
【考案の詳細な説明】
【技術分野】
【０００１】
本考案は、特に、外形形状の異なるサイズのメモリカードを収納できるメモリカード用収納ボックスに関するものである。
【背景技術】
【０００２】
従来のメモリカード、例えば、ＣＦカードや、ＸＤカード、及びＳＤカードは外形形状が異なるサイズであるので、通常はそれぞれ専用のメモリカード用収納ボックスに収納している。
【０００３】
図８に示すように、従来のメモリカード用収納ボックスは、互いに開閉可能に枢設される下ケース６０と上ケース７０を有し、下ケース６０の内側にメモリカード６２を収納するため複数の収納部６１が形成され、上ケース７０の内側に前記メモリカード６２のサイズより大きなメモリカード７２を収納するため収納部７１が形成されている。
【考案の開示】
【考案が解決しようとする課題】
【０００４】
しかしながら、前記従来のメモリカード用収納ボックスは、二種類のタイプのサイズのメモリカードしか収納することができず、更に、異なるサイズのメモリカードを収納することはできなかったので、非常に不便であった。
【０００５】
そこで案出されたのが本考案であって、外形形状が異なるサイズのメモリカードを収納できるメモリカード用収納ボックスを提供することを目的としている。
【課題を解決するための手段】
【０００６】
本願の請求項１に係るメモリカード用収納ボックスは、下ケース、上ケース、及び前記下ケース内に配設される複数の弾性部材を有する離間プレートからなり、前記下ケースの中央には、内側に夫々係止溝と係合溝が形成された収納部が形成され、前記収納部には上部の前，後面に前記係合溝と係合する係合ブロックを有する離間プレートが配設され、該離間プレートの下部の前，後面には外方斜め下向きに伸びてメモリカードを収納位置決めする複数の弾性部材が設けられており、前記上ケースは、下ケースを覆い、内部に凹部が形成され、外側に前記係止溝と係止する係止ブロックが設けられていることを特徴とする。
【０００７】
本願の請求項２の考案は、メモリカード用収納ボックスにおいて、互いに枢設される下ケースと上ケースを有し、下ケースの一側の上部にプレートが設けられ、該プレートの内側に斜め下に向って伸びる複数の弾性部材が設けられることを特徴とする。
本願の請求項３の考案は、請求項１又は２に記載のメモリカード用収納ボックスにおいて、前記該弾性部材はゴム又は柔軟性を有するプラスチックからなることを特徴とする。
【考案の効果】
【０００８】
本考案は上記の課題を解決するものであり、互いに組み合わされる上ケースと下ケースを有し、下ケースの内部にメモリカードを収納位置決めするための弾性部材が設けられることにより、外形形状の異なるサイズのメモリカードを一つの収納ボックスにまとめて収納することができるので、非常に便利である。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係るメモリカード用収納ボックスの全体斜視図であり、図２は本考案に係るメモリカード用収納ボックスの分解斜視図であり、図３は本考案に係るメモリカード用収納ボックスの断面図であり、図４は本考案に係るメモリカード用収納ボックスによりメモリカードを収納する状態を示す分解斜視図であり、図５は本考案に係るメモリカード用収納ボックスによりメモリカードを収納する状態を示す断面図であり、図６は本考案に係るメモリカード用収納ボックスの他の実施例を示す断面図であり、図７は本考案に係るメモリカード用収納ボックスの他の実施例によりメモリカードを収納する状態を示す断面図である
【００１１】
【実施例１】
【００１２】
図１乃至図３に示すように、本考案に係るメモリカード用収納ボックスは、下ケース１０、上ケース２０、及び前記下ケース１０内部に収納される複数の弾性部材３１を有する離間プレート３０からなる。
【００１３】
前記下ケース１０はＵ字形の切り欠きを有する中空ケースであり、その中央に収納部１１が形成されると共に、内側に夫々係止溝１２と係合溝１３が形成される。
【００１４】
前記離間プレート３０は、上部の前，後面に前記下ケース１０の係合溝１３と係合する係合ブロック３０１が設けられると共に、下部の前，後面には外方に向かって人字形のように斜め下に向って伸びる複数の弾性部材３１が設けられ、該弾性部材３１は、例えばゴム又は軟質の柔軟性を有するプラスチックからなる。
【００１５】
前記上ケース２０は、下ケース１０を覆い、内部に凹部２１が形成され、外側に前記下ケース１０の前記係止溝１２と係止する係止ブロック２２が設けられる。
【００１６】
又、図４及び図５に示すように、本考案に係るメモリカード用収納ボックスに外形形状の異なるメモリカード４０を収納する場合、異なるサイズのメモリカード４０，４１を弾性部材３１により下ケース１０の収納部１１に挟持して位置決めることにより、異なるサイズを有する複数のメモリカード４０，４１を収納することができる。
【００１７】
【実施例２】
【００１８】
図６に示すように、本考案に係るメモリカード用収納ボックスの他の実施例は、互いに枢設される下ケース１０’と上ケース２０’を有し、下ケース１０’の一側の上部にプレート１４が設けられ、該プレート１４の内側に斜め下に向って伸びる複数の弾性部材３１’が設けられ、該弾性部材３１’は例えばゴム又は軟質の柔軟性を有するプラスチックからなる。
【００１９】
又、図７に示すように、本考案に係るメモリカード用収納ボックスの他の実施例を使用する場合、メモリカード４０を弾性部材３１’により下ケース１０’の内部に挟持して位置決めることにより、外形形状の異なるサイズの複数のメモリカード４０を収納保持することができる。
【産業上の利用可能性】
【００２０】
本考案は上記の構成を有するので、互いに組み合わされる上ケースと下ケースを有し、下ケースの内部にメモリカードを位置決めるため弾性部材が設けられることにより、異なるサイズのメモリカードを一つの収納ボックスに収納することができるので、非常に便利である。
【図面の簡単な説明】
【００２１】
【図１】本考案に係るメモリカード用収納ボックスの第1実施例を示す全体斜視図である。
【図２】本考案に係るメモリカード用収納ボックスの第1実施例を示す分解斜視図である。
【図３】本考案に係るメモリカード用収納ボックスの第1実施例を示す断面図である。
【図４】本考案に係る第1実施例のメモリカード用収納ボックスによりメモリカードを収納する状態を示す分解斜視図である。
【図５】本考案に係る第1実施例のメモリカード用収納ボックスによりメモリカードを収納する状態を示す断面図である。
【図６】本考案に係るメモリカード用収納ボックスの第２実施例を示す断面図である。
【図７】本考案に係るメモリカード用収納ボックスの第２実施例によりメモリカードを収納する状態を示す断面図である。
【図８】従来のメモリカード用収納ボックスを示す斜視図である。
【符号の説明】
【００２２】
１０        下ケース
１０’      下ケース
１１        収納部
１２        係止溝
１３        係合溝
１４        プレート
２０        上ケース
２０’      上ケース
２１        凹部
２２        係止ブロック
３０        離間プレート
３０１      係合ブロック
３１        弾性部材
３１’      弾性部材
４０        メモリカード
４１        メモリカード
６０        下ケース
６１        収納部
６２        メモリカード
７０        上ケース
７１        収納部
７２        メモリカード
【図１】
0003110123.tif 000003
【図２】
0003110123.tif 000004
【図３】
0003110123.tif 000005
【図４】
0003110123.tif 000006
【図５】
0003110123.tif 000007
【図６】
0003110123.tif 000008
【図７】
0003110123.tif 000009
【図８】
0003110123.tif 000010